(57)【要約】【課題】ケースとマイクロホンとの間にパッキングを介装するだけで、水噴流がかかる場合や、機器が水没した場合にもマイクロホンへの水の侵入を防止でき、また、マイクロホン前面空間に水が溜まることを防止できるマイクロホンの防水構造を提供する。【解決手段】ケース１に設けられた音通過孔１ａの周縁に圧接するように前記ケース１とマイクロホン２との間に介装されるパッキング４に弁５ｃ、５ｃを一体に形成し、前記音通過孔１ａから水圧が印加されるとその水圧により前記弁５ｃ、５ｃが弾性変形して前記前記音通過孔１ａを塞ぐように構成した。【選択図】        図１
2006041865.tif 000002
【特許請求の範囲】
【請求項１】
ケースに設けられた音通過孔の周縁に圧接するように前記ケースとマイクロホンとの間に介装されるパッキングに弁を一体に形成し、前記音通過孔から水圧が印加されるとその水圧により前記弁が弾性変形して前記前記音通過孔を塞ぐように構成した無線機器内部に配置されるマイクロホンの防水構造。
【請求項２】
前記弁が観音開き構造に構成されている請求項１のマイクロホンの防水構造。
【請求項３】
前記弁が前記パッキングに設けられた弁座に圧接される請求項１のマイクロホンの防水構造。
【請求項４】
前記弁の縁が前記弁座に近接するように傾斜した傘形状に形成されている請求項３のマイクロホンの防水構造。
【請求項５】
前記パッキングに前記ケースに設けられた音通過孔の周縁に圧接されるループ状のリブを設けた請求項１から４に記載されたマイクロホンの防水構造。
【請求項６】
前記音通過孔にメッシュシートを配置した請求項１から５に記載されたマイクロホンの防水構造。
【発明の詳細な説明】
【技術分野】
【０００１】
この発明は無線機器に係わり、特に、そのマイクロホンの防水構造に関する。
【背景技術】
【０００２】
従来の携帯電話機等の無線機器内部に配置されるマイクロホンの防水構造の例を図５に示す。図５に示すフロントケース１には音通過孔１ａが設けられ音通過孔１ａの内部にコンデンサマイクロホン２（ＥＣＭ）が配置されている。フロントケース１とコンデンサマイクロホン２の間にはゴム製のパッキング８が介装されている。
【０００３】
パッキング８に設けられたループ状のリブ８ａ、８ｂは夫々フロントケース１の音通過孔１ａの周縁およびコンデンサマイクロホン２に圧接されており、無線機器内部に水が侵入することを防止する。
【０００４】
また、フロントケース１の音通過孔１ａを塞ぐようにメッシュシート３がフロントケース１に張り付けられ、コンデンサマイクロホン２の音通過孔１ａと対向する面には防水布４が張り付けられていた。
【０００５】
音通過孔１ａの正面から図示の矢印で示す方向に水圧がかかる場合には、メッシュシート３で水勢をある程度和らげ、さらに、防水布４でコンデンサマイクロホン２内に水が入るのを防止する。
【０００６】
上記した従来のマイクロホンの防水構造によると、多少の水が外側からかかる程度であればよいが、多量の水噴流がかかる場合や、機器が水没した場合には急激な水圧変化に防水布が耐えられずマイクロホンが破損する恐れがあった。
【０００７】
また、水没した状態から機器を取り出した場合に、メッシュシート３と防水布４との間のマイクロホン前面空間に水の表面張力により水が溜まり音圧が著しく低下する傾向があった。
【０００８】
特開２００２−１６３７４号公報に示された携帯電話機の音響部品の防水構造ではケース本体１の音響部品６前面に設けられた放音孔２を塞ぐように防水膜３が張り付けられている。
【０００９】
上記した特開２００２−１６３７４号公報に示された防水構造では放音孔２から音響部品６の側に水が侵入することが防水膜３により防ぐことができるが、防水膜３をケース本体１に張り付ける工程が必要であり、製造コストが高くなるという問題があった。
【特許文献１】特開平２０００−１６３７４号公報、段落００１２、図２
【発明の開示】
【発明が解決しようとする課題】
【００１０】
この発明は上記した点に鑑みてなされたものであって、その目的とするところは、ケースとマイクロホンとの間にパッキングを介装するだけで、水噴流がかかる場合や、機器が水没した場合にもマイクロホンへの水の侵入を防止でき、また、マイクロホン前面空間に水が溜まることを防止できるマイクロホンの防水構造を提供することにある。
【課題を解決するための手段】
【００１１】
この発明の無線機器内部に配置されるマイクロホンの防水構造は、ケースに設けられた音通過孔の周縁に圧接するように前記ケースとマイクロホンとの間に介装されるパッキングに弁を一体に形成し、前記音通過孔から水圧が印加されるとその水圧により前記弁が弾性変形して前記前記音通過孔を塞ぐように構成したものである。
【００１２】
また、前記マイクロホンの防水構造において、前記弁が観音開き構造に構成されているものである。
【００１３】
また、同マイクロホンの防水構造において、前記弁が前記パッキングに設けられた弁座に圧接されるものである。
【００１４】
また、前記マイクロホンの防水構造において、前記弁の縁が前記弁座に近接するように傾斜した傘形状に形成されているものである。
【００１５】
また、前記各マイクロホンの防水構造において、前記パッキングに前記ケースに設けられた音通過孔の周縁に圧接されるループ状のリブを設けたものである。
【００１６】
また、前記各マイクロホンの防水構造において、前記音通過孔にメッシュシートを配置したものである。
【発明の効果】
【００１７】
この発明のマイクロホンの防水構造によれば、マイクロホンへの水の侵入が防止できる。従って、防水性能を高めたマイクロホンを用いることなく、通常のマイクロホンを使用できる。
【００１８】
さらに、多量の水噴流や水没による水圧がかかってもマイクロホン前面空間に水が多量に溜まることがなく、音圧の低下が防止される。
【発明を実施するための最良の形態】
【００１９】
以下この発明を実施するための最良の形態を実施例に即して説明する。
【実施例１】
【００２０】
図１はこの発明の実施例１である無線機器のマイクロホンの防水構造を示す断面図である。図１に示すフロントケース１には音通過孔１ａが設けられ音通過孔１ａの内部にコンデンサマイクロホン２（ＥＣＭ）が配置されている。フロントケース１とコンデンサマイクロホン２の間にはゴム製のパッキング５が介装されている。
【００２１】
パッキング５に設けられたループ状のリブ５ａ、５ｂは夫々フロントケース１の音通過孔１ａの周縁およびコンデンサマイクロホン２に圧接されており、無線機器内部に水が侵入することを防止する。
【００２２】
また、フロントケース１の音通過孔１ａを塞ぐようにメッシュシート３がフロントケース１に張り付けられている。パッキング５の前側には音通過孔１ａと対向する位置に弾性変形可能な観音開き形状の弁５ｃ、５ｃが形成されている。
【００２３】
上記構成において、音通過孔１ａの正面から図示の矢印で示す方向に水圧がかかる場合には、メッシュシート３で水勢をある程度和らげ、さらに、弁５ｃ、５ｃが矢印で示す方向に変形して点線で示す位置となり水の侵入経路を塞ぎ水の侵入が完全に防止される。
【００２４】
弁５ｃ、５ｃが水の侵入経路を閉じた状態から水圧が除かれると、弾力により弁５ｃ、５ｃが実線に示す位置となり音通過孔１ａが開かれる。このようにマイクロホン前面空間への水の侵入を防止されるのでマイクロホン前面空間に水の表面張力により水が溜まり、音圧が低下することが防止できる。この例ではパッキング５の成形が容易であり製造コストが安くなる。また、弁５ｃ、５ｃの変形量が小さくても広い音道を確保できる。
【実施例２】
【００２５】
図２はこの発明の実施例２である無線機器のマイクロホンの防水構造を示す断面図である。図２に示すフロントケース１には音通過孔１ａが設けられ音通過孔１ａの内部にコンデンサマイクロホン２が配置されている。フロントケース１とコンデンサマイクロホン２の間にはゴム製のパッキング６が介装されている。
【００２６】
パッキング６に設けられたループ状のリブ６ａ、６ｂは夫々フロントケース１の音通過孔１ａの周縁およびコンデンサマイクロホン２に圧接されており、無線機器内部に水が侵入することを防止する。
【００２７】
また、フロントケース１の音通過孔１ａを塞ぐようにメッシュシート３がフロントケース１に張り付けられている。パッキング６の前側には音通過孔１ａと対向する位置に弾性変形可能な弁６ｃ、６ｃが形成されている。また、弁６ｃ、６ｃと対向する位置に弁座６ｄがパッキング６と一体に形成されている。
【００２８】
上記構成において、音通過孔１ａの正面から図示の矢印で示す方向に水圧がかかる場合には、メッシュシート３で水勢をある程度和らげ、さらに、弁６ｃ、６ｃが矢印で示す方向に変形して点線で示す位置となり弁座６ｄと密接して水の侵入経路を塞ぎ水の侵入が完全に防止される。
【００２９】
弁６ｃ、６ｃが水の侵入経路を閉じた状態から水圧が除かれると弾力により弁６ｃ、６ｃが実線に示す位置となり音通過孔が開かれる。このようにマイクロホン前面空間への水の侵入を防止されるのでマイクロホン前面空間に水の表面張力により水が溜まり音圧が低下することが防止できる。
【実施例３】
【００３０】
図３はこの発明の実施例３である無線機器のマイクロホンの防水構造を示す断面図である。図３に示すフロントケース１には音通過孔１ａが設けられ音通過孔１ａの内部にコンデンサマイクロホン２が配置されている。フロントケース１とコンデンサマイクロホン２の間にはゴム製のパッキング７が介装されている。
【００３１】
パッキング７に設けられたループ状のリブ７ａ、７ｂは夫々フロントケース１の音通過孔１ａの周縁およびコンデンサマイクロホン２に圧接されており、無線機器内部に水が侵入することを防止する。
【００３２】
また、フロントケース１の音通過孔１ａを塞ぐようにメッシュシート３がフロントケース１に張り付けられている。パッキング７の前側には音通過孔１ａと対向する位置に弾性変形可能な弁７ｃが形成されている。弁７ｃは縁が下方に傾斜した傘形となっている。また、弁７ｃと対向する位置に弁座７ｄ、７ｄがパッキング７と一体に形成されている。
【００３３】
上記構成において、音通過孔１ａの正面から図示の矢印で示す方向に水圧がかかる場合には、メッシュシート３で水勢をある程度和らげ、さらに弁７ｃが矢印で示す方向に変位して傘形の縁が弁座７ｄと密接して水の侵入経路を塞ぎ水の侵入が完全に防止される。弁７ｃと弁座７ｄとの圧接面積が小さいので圧接圧力が大きく水漏れが防止される。
【００３４】
弁７ｃが水の侵入経路を閉じた状態から水圧が除かれると弁７ｃの支持部の弾力により弁７ｃが図３に示す位置となり音道が開かれる。このようにマイクロホン前面空間への水の侵入を防止されるのでマイクロホン前面空間に水の表面張力により水が溜まり音圧が低下することが防止できる。
【実施例４】
【００３５】
図４はこの発明の実施例４である無線機器のマイクロホンの防水構造を示す断面図である。図４に示すフロントケース１には音通過孔１ａが設けられ音通過孔１ａの内部にコンデンサマイクロホン２が配置されている。フロントケース１とコンデンサマイクロホン２の間にはゴム製のパッキング８が介装されている。
【００３６】
パッキング８に設けられたループ状のリブ８ａ、８ｂは夫々フロントケース１の音通過孔１ａの周縁およびコンデンサマイクロホン２に圧接されており、無線機器内部に水が侵入することを防止する。
【００３７】
また、フロントケース１の音通過孔１ａを塞ぐようにメッシュシート３がフロントケース１に張り付けられている。パッキング８の前側には音通過孔１ａと対向する位置に平板状の弁８ｃが弾性変形可能に形成されている。また、弁８ｃと対向する位置に弁座８ｄ、８ｄがパッキング８と一体に形成されている。
【００３８】
上記構成において、音通過孔１ａの正面から図示の矢印で示す方向に水圧がかかる場合には、メッシュシート３で水勢をある程度和らげ、さらに弁８ｃが矢印で示す方向に変位して弁座８ｄと密接して水の侵入経路を塞ぎ水の侵入が完全に防止される。
【００３９】
弁８ｃが水の侵入経路を閉じた状態から水圧が除かれると弁８ｃの支持部の弾力により弁８ｃが図４に示す位置となり音道が開かれる。このようにマイクロホン前面空間への水の侵入を防止されるのでマイクロホン前面空間に水の表面張力により水が溜まり音圧が低下することが防止できる。
【００４０】
実施例は以上のように構成されているが発明はこれに限られず、例えば、パッキングをゴムで形成する代わりに、合成ゴム等のゴム弾性を有する材料で作ることも可能である。
【図面の簡単な説明】
【００４１】
【図１】この発明の実施例１である無線機器のマイクロホンの防水構造を示す断面図である。
【図２】この発明の実施例２である無線機器のマイクロホンの防水構造を示す断面図である。
【図３】この発明の実施例３である無線機器のマイクロホンの防水構造を示す断面図である。
【図４】この発明の実施例４である無線機器のマイクロホンの防水構造を示す断面図である。
【図５】従来の無線機器のマイクロホンの防水構造の例を示す断面図である。
【符号の説明】
【００４２】
１  フロントケース、１ａ  音通過孔
２  コンデンサマイクロホン
３  メッシュシート
４  防水布
５  パッキング、５ａ、５ｂ  リブ、５ｃ  弁
６  パッキング、６ａ、６ｂ  リブ、６ｃ  弁、６ｄ  弁座
７  パッキング、７ａ、７ｂ  リブ、７ｃ  弁、７ｄ  弁座
８  パッキング、８ａ、８ｂ  リブ
【図１】
2006041865.tif 000003
【図２】
2006041865.tif 000004
【図３】
2006041865.tif 000005
【図４】
2006041865.tif 000006
【図５】
2006041865.tif 000007